(57)【要約】      （修正有）【課題】ブラシ台座に温風噴射孔を設け、さらにブラシ台座を加熱する構成とし、髪への熱効率を高め、それによってヘアースタイリングの時間を短縮し、美しいカールの形成やボリュームアップを可能にしたヘアーブラシを提供する。【解決手段】本体を把持操作するグリップ２とグリップ先方のブラシ部３を備えたヘアーブラシであって、ブラシ部は円柱形のブラシ台座と、ブラシ台座から放射状に立設された多数のブラシピン１２、１３を備え、ブラシ台座には温風噴射孔が形成され、温風噴射孔から温風を噴射させるためのヒータ及びファンを備える。【選択図】図１
0003230694.tif 000002
【実用新案登録請求の範囲】
【請求項１】
本体を把持操作するグリップ（２）とグリップ先方のブラシ部（３）を備えたヘアーブラシであって、
前記ブラシ部（３）は円柱形のブラシ台座（１１）と、そのブラシ台座（１１）から放射状に立設された多数のブラシピンを備えており、
前記ブラシ台座（１１）には温風噴射孔（１５）が形成され、
前記ブラシ台座（１１）に形成された温風噴射孔（１５）から温風を噴射させるためのヒータ（１６）及びファン（７）を備えたことを特徴とするヘアーブラシ。
【請求項２】
前記円柱形のブラシ台座（１１）はヒータ（１６）の熱を受けて加熱される構成とした請求項１記載のヘアーブラシ。
【請求項３】
円柱形のブラシ台座（１１）は金属によって構成され、その金属製のブラシ台座（１１）の内側にヒータ（１６）が密着して配置され、ヒータ（１６）の配置された部位を除くブラシ台座（１１）に多数の温風噴射孔（１５）を形成したことを特徴とする請求項２記載のヘアーブラシ。
【請求項４】
前記プラシピンは細い棒状ブラシピン（１２）と、幅広部を有する柔軟性ブラシピン（１３）を備えたことを特徴とする請求項３記載のヘアーブラシ。
【請求項５】
前記ブラシ部（３）は、前後方向にブラシピンを整列させてブラシピン列が形成され、
そのブラシピン列をブラシ台座（１１）の周方向に所定間隔で並べてブラシ群が形成され、
前記ブラシピン列の少なくとも一部を柔軟性ブラシピン（１３）列としたことを特徴とする請求項４記載のヘアーブラシ。
【請求項６】
ヒータ（１６）の温度設定調整機能を備えたことを特徴とする請求項１〜５いずれか記載のヘアーブラシ。
【請求項７】
グリップ（２）の内部にファン（７）を回転させるモータ（６）を配置し、そのモータ（６）を固定するマウント（２５）とモータ（６）外周とは、振動伝達を低減させるための支持片（２６）を介して取付けられていることを特徴とする請求項１〜６いずれか記載のヘアーブラシ。
【考案の詳細な説明】
【技術分野】
【０００１】
本考案は、理容店、美容院等あるいは家庭用として利用されるヘアーブラシに関し、特に、ブラシ台座に温風噴射孔を設け、さらにブラシ台座を加熱する構成とし、髪への熱効率を高め、それによってヘアースタイリングの時間を短縮し、美しいカールの形成やボリュームアップを可能にしたヘアーブラシに関する。
【背景技術】
【０００２】
従来、ヘアースタイリングの仕上げに植毛部から放射状にブラシ毛が突設されたロールブラシが使用されている。
このロールブラシは、髪をストレートにしたい場合、あるいはカールしたい場合やボリュームアップをしたい場合にドライヤーで熱風を吹き付けながら、毛髪の根元や毛先の整髪を行っている。
そして、このようなロール状のヘアーブラシに関する技術として特許文献１、２の技術が公知である。
【先行技術文献】
【特許文献】
【０００３】
【特許文献１】特開２００７−１５１６５８号公報
【特許文献２】特開２００２−１１２８３５号公報
【考案の概要】
【考案が解決しようとする課題】
【０００４】
しかしながら、前記特許文献１、２のヘアーブラシは、ドライヤーを利用して熱を当てながら整髪する構成であるため、両手での操作が必要となり、手軽に片手で整髪を行うことができない。
また、ドライヤーの熱風がブラシ部分の根元に遮られて毛髪全体に行きわたらず、ヘアースタイリングに手間を要するという問題があった。
さらに、アイロン機能は備えないので、アイロン機能の高温による整髪効果は得られない。
本考案は、かかる従来の問題を解決するためになされたものであって、その目的とするところは、ブラシ台座に温風噴射孔を設け、さらにブラシ台座を加熱する構成とし、髪への熱効率を高め、それによってヘアースタイリングの時間を短縮し、美しいカールの形成やボリュームアップを可能にしたヘアーブラシを提供することにある。
【課題を解決するための手段】
【０００５】
前記目的を達成するための手段として請求項１記載のヘアーブラシでは、本体を把持操作するグリップ（２）とグリップ先方のブラシ部（３）を備えたヘアーブラシであって、  前記ブラシ部（３）は円柱形のブラシ台座（１１）と、そのブラシ台座（１１）から放射状に立設された多数のブラシピンを備えており、前記ブラシ台座（１１）には温風噴射孔（１５）が形成され、前記ブラシ台座（１１）に形成された温風噴射孔（１５）から温風を噴射させるためのヒータ（１６）及びファン（７）を備えたことを特徴とする。
【０００６】
請求項２記載のヘアーブラシでは、請求項１記載のヘアーブラシにおいて、前記円柱形のブラシ台座（１１）はヒータ（１６）の熱を受けて加熱される構成とした。
【０００７】
請求項３記載のヘアーブラシでは、請求項２記載のヘアーブラシにおいて、円柱形のブラシ台座（１１）は金属によって構成され、その金属製のブラシ台座（１１）の内側にヒータ（１６）が密着して配置され、ヒータ（１６）の配置された部位を除くブラシ台座（１１）に多数の温風噴射孔（１５）を形成したことを特徴とする。
【０００８】
請求項４記載のヘアーブラシでは、請求項３記載のヘアーブラシにおいて、前記プラシピンは細い棒状ブラシピン（１２）と、幅広部を有する柔軟性ブラシピン（１３）を備えたことを特徴とする。
【０００９】
請求項５記載のヘアーブラシでは、請求項４記載のヘアーブラシにおいて、前記ブラシ部（３）は、前後方向にブラシピンを整列させてブラシピン列が形成され、そのブラシピン列をブラシ台座（１１）の周方向に所定間隔で並べてブラシ群が形成され、前記ブラシピン列の少なくとも一部を柔軟性ブラシピン（１３）列としたことを特徴とする。
【００１０】
請求項６記載のヘアーブラシでは、請求項１〜５いずれか記載のヘアーブラシにおいて、ヒータ（１６）の温度設定調整機能を備えたことを特徴とする。
【００１１】
請求項７記載のヘアーブラシでは、請求項１〜６いずれか記載のヘアーブラシにおいて、グリップ（２）の内部にファン（７）を回転させるモータ（６）を配置し、そのモータ（６）を固定するマウント（２５）とモータ（６）外周とは、振動伝達を低減させるための支持片（２６）を介して取付けられていることを特徴とする。
【考案の効果】
【００１２】
請求項１記載のヘアーブラシでは、ブラシ部は円柱形のブラシ台座と、そのブラシ台座から放射状に立設された多数のブラシピンを備えているので、このロール状のブラシによって多様なヘアースタイリングを行うことができる。
ブラシ台座には温風噴射孔が形成され、ブラシ台座に形成された温風噴射孔から温風を噴射させるためのヒータ及びファンを備えているので、片手操作による温風を利用したヘアースタイリングが可能である。
【００１３】
請求項２記載のヘアーブラシでは、円柱形のブラシ台座はヒータの熱を受けて加熱される構成としたので、毛髪と接するブラシ台座が高熱となりヘアースタイリング時のアイロン効果が得られる。
【００１４】
請求項３記載のヘアーブラシでは、円柱形のブラシ台座は金属によって構成され、その金属製のブラシ台座の内側にヒータが密着して配置され、ヒータの配置された部位を除くブラシ台座に多数の温風噴射孔を形成したので、温風の噴射孔が確保され、ヒータの熱を利用した温風の生成とブラシ台座の加熱が行われる。
【００１５】
請求項４記載のヘアーブラシでは、幅広部を有する柔軟性ブラシピンを備えたので、柔軟性ブラシピンを利用して、ブラシに毛髪を絡ませながらヘアースタイリングを行うことができる。
【００１６】
請求項５記載のヘアーブラシでは、ブラシ部は、前後方向にブラシピンを整列させてブラシピン列が形成され、そのブラシピン列をブラシ台座の周方向に所定間隔で並べてブラシ群が形成され、前記ブラシピン列の少なくとも一部を柔軟性ブラシピン列としたので、ブラシ部の一部に幅広部を有する柔軟性ブラシピンが配置されることになり、毛髪を掴みやすく、しかも絡まり過ぎず、ヘアースタイルに適切な毛髪の絡まりと解放具合が実現される。
【００１７】
請求項６記載のヘアーブラシでは、ヒータの温度設定調整機能を備えたので、髪質やヘアースタイリングの目的等に合わせてアイロン温度を選択設定することができる。
【００１８】
請求項７記載のヘアーブラシでは、モータを固定するマウントとモータ外周とは、振動伝達を低減させるための支持片を介して取付けられているので、ヘアーブラシの使用時のモータの振動及び回転振動音が外部に漏れない静穏設計とされる。
【図面の簡単な説明】
【００１９】
【図１】ヘアーブラシの平面図である。
【図２】ヘアーブラシの内部構造を示す説明図である。
【図３】ブラシ台座の側面図である。
【図４】ブラシピン及びヒータのブラシ台座への取付構造を示す説明図である。
【図５】（ａ）棒状ブラシピン列の平面図、（ｂ）棒状ブラシピン列の側面の断面図、（ｃ）棒状ブラシピン列の正面図である。
【図６】棒状ブラシピン列の取付構造を示す説明図である。
【図７】ブラシ部の分解図である。
【図８】モータの取付構造を示す説明図である。
【考案を実施するための形態】
【実施例１】
【００２０】
本考案の第１実施例に係るヘアーブラシ１は、温風の噴射機能及びアイロン機能を備えたヘアーブラシであり、図１〜８に示すように、基部に把持操作するためのグリップ２、先方にブラシ部３を備えている。
グリップ１は把持に適した太さ・形状を備えており、グリップ後端に電源コード４が接続され、グリップ内部には機能を制御するための基板５（電子回路）と、その基板５に接続されたモータ６と、モータ６に駆動されて回転するファン７が収容されている。
また、グリップ上面には電源スイッチ８、温度設定調整スイッチ９、温度表示部１０が設けられている。そして、温度設定調整スイッチ９の操作により１５０℃〜１９０℃まで１０℃毎の５段階温度調節が可能とされている。
【００２１】
ブラシ部３は円柱形の金属製のブラシ台座１１と、そのブラシ台座１１から放射状に立設された多数のブラシピンを備えている。
このブラシピンは細い棒状ブラシピン１２とひし形の幅広部を有する柔軟性ブラシピン１３から構成されている。
柔軟性ブラシピン１３は、棒状ブラシピン１２に比較してやや太く形成されている。
柔軟性ブラシピン１３と棒状ブラシピン１２は、それぞれ本体の前後方向に列を形成して立設されている。そして、それぞれのブラシピン列が等間隔を置いて並び、ブラシ台座１１を周回した状態でブラシ群が形成されている。
本実施例では一列に並んだ１５本の柔軟性ブラシピン１３または棒状ブラシピン１２によって一つのブラシピン列が構成され、そのブラシピン列がブラシ台座の周方向に約２６度の角度をおいて配置されている。
本実施例では、ブラシ部全体で１４列のブラシピン列が配置され、ブラシ台座に１８０度の間隔をおいて上と下に柔軟性ブラシピン１３が配置され、その間に間隔をおいて６列の棒状ブラシピン１２が配置されている（図４参照）。
【００２２】
柔軟性ブラシピン１３は、フッ素ゴム等の柔軟性素材によって形成され、その表面はざらつきのある表面加工がなされており、ヘアースタイリング時に、接触した毛髪をその摩擦性により付着させる機能を有している。
なお、柔軟性ブラシピン１３は合成樹脂、シリコン等によって形成することも可能であり、その表面は凹凸を形成せずに滑らかに形成することも可能である。
一方、棒状ブラシピン１２は通常の櫛と同様の摩擦抵抗の低い素材によって形成されている。
【００２３】
柔軟性ブラシピン１３の形状は、図２に示すように、基部が短く直状に立ち上がり、短く立ち上がった先方が徐々に拡幅し、中央部分が幅広とされており、幅広の中央部分から先端に向かって幅が徐々に収束している。そのため、柔軟性ブラシピンを側面から見るとひし形の形状とされている。
柔軟性ブラシピン１３同士の隣接間隔は、先端部分が先方に向かって開き、中央にかけて徐々に狭窄し、さらに基部が広く形成されているので、ブラシ時に、毛髪は広く開いた先端部分から嵌りやすく、一旦柔軟性ブラシピンの基部に嵌った毛髪は、狭窄部分によって脱落が阻止され、抜けにくい構成となっている。
【００２４】
ブラシ台座１１の外周側面には前後方向に所定間隔でブラシピン列を取付けるための取付溝１４が形成されている（図３、４参照）。本実施例では、上と下に柔軟性ブラシピンの取付溝１４、左右にそれぞれ６本の棒状ブラシピンの取付溝１４が形成されている。そして、左右それぞれ４本の取付溝には所定間隔で温風噴射孔１５が形成されている。
また、ブラシ台座１４の内側の上下にはヒータ１６が密着されてブラシ台座全域が加熱される構成とされている。
【００２５】
棒状ブラシピン１２は、図５に示すように、基部が一体として連続した樹脂製の１５本のピンが横一連とされており、ピンとピンの間には温風噴射孔１５に対応する孔１５ａが形成されている（図５（ａ）（ｂ）参照）。
ブラシ台座１１への取付に際しては取付レール１７を使用する（図６参照）。
この取付レール１７は熱伝導性のある金属によって構成され、取付溝１４と同程度の長さを有し、ピンを挿通する孔１２ａ及び温風噴射孔１５に対応する孔１５ｃ（本実施例ではそれぞれ１５個）を備えている。
取付溝１４への装着に際しては、取付レール１７を棒状ブラシピン１２の上から被せるように孔１２ａにそれぞれ対応する棒状ブラシピン１２を挿入し、取付レール１７を棒状ブラシピン列の基部に装着し、取付レールと共にブラシ台座の取付溝１４にスライド挿入して棒状ブラシピン１２を固定する。
これにより、ブラシ台座１１外周に棒状ブラシピン１２が放射状に立設される。このとき、温風噴射孔１５、孔１５ｃが同位置となって連通し、温風噴射孔１５からの温風の噴出路が形成される。
なお、温風噴射孔１５のないブラシ台座の取付溝１４へ取り付ける取付レールについては、温風噴射孔に対応する孔１５ｃは形成されていない。
【００２６】
柔軟性ブラシピン１３も前記棒状ブラシピン１２と同様に基部が一体として連続した樹脂製の１５本のピンが横一連とされている。しかし、柔軟性ブラシピン１３が取り付けられるブラシ台座１１には温風噴射孔１５が形成されていないために、その柔軟性ブラシピン１３の基部には温風噴射孔に対応する孔はない。
また、本実施例では柔軟性ブラシピン１３の基部は取付溝１４に直接嵌り込む形状とされ、取付レール１７を使用せずに、基部を取付溝１４へ直接スライドさせて固定する構成とされている。
【００２７】
ブラシ台座１１の内側の上面と下面には、ブラシ台座１１の全長に渡って、細長い平板状のヒータ１６が密着して配置されている。
このヒータ１６が密着して配置されていることにより、ブラシ台座１１全体に亘ってヒータ熱が伝達され、ブラシ台座１１が高熱となり、アイロン機能を奏する。
【００２８】
次に、ブラシ部の取付構造を図７に示す。
ブラシ台座１１の内部上面と内部下面にヒータ１６を密着させて固定片１６ａを介してヒータ１６を装着する。
ブラシ台座１１の外周の取付溝１４に取付レール１７と共にブラシピン列を挿入して、ブラシ台座１１外周にブラシピン列を放射状に立設する。なお、ブラシ台座１１の上と下の２列には柔軟性ブラシピン１３列が取付レール１７を使用せずに直接装着する。
ブラシ部３は、取付片１８、位置決め片１９、隔熱プレート２０、固定座２１、キャップ２２を装着して先端からネジ２３を挿入し本体に固定する。
ブラシ部３の後端は座金２４を介してグリップ２に接合される。
【００２９】
グリップ２の内部にはモータ６が取付けられるが、そのモータ６の固定構造は図８に示すように、マウント２５に固定されてグリップ２内に収容されている。
マウント２５は円形の外郭を備え、その内側に支持片２６が伸びてモータ６の取付座を支持しており、その取付座にモータが嵌合して取付けられる構成とされている。
支持片２６は薄い板状とされているために、グリップ２に対するモータ６の回転振動の伝達が低減される。また、マウント２５の外周にもゴムシートが巻かれて振動の低減処理がなされている。
【００３０】
次に、本実施例のヘアーブラシの使用方法を説明する。
電源スイッチ８をＯＮにし、温度設定調整スイッチ９を操作して温度表示部１０上の温度を選択する。これにより、ヒータ１６が発熱し、所定の温度に達するとファン７が回転する。
ヒータ１６の発熱によりブラシ台座１１が加熱される。同時にファン７の回転により気流がモータ６を通過して先端方向へ流れ、ヒータ１６と接触して温風とされ、温風噴射孔１５から噴き出す。
ブラシ台座１１及び温風が適切な温度に達した状態で、ブラシ部３で毛髪束を巻き込んだり、またはブラシ部３で毛髪束を梳かしたり、毛髪をカールやウェーブ、あるいはストレートに形付けする。ここで、ブラシ台座１１はヒータ１６により高温とされるので、金属製の取付レール１７並びにブラシ台座１１との接触により毛髪にアイロン効果が得られる。
柔軟性ブラシピン１３が設けられているので、ブラシ時に、毛髪は広く開いた先端部分から嵌りやすく、一旦柔軟性ブラシピン１３の基部に嵌った毛髪は、狭窄部分によって脱落が阻止され、抜けにくい。
本実施例のヘアーブラシ１は毛髪を髪押さえ部材でクリップせず、柔軟性ブラシピン１３に絡めるので、毛髪束毛先から施術する場合、あるいは毛髪束中間部から施術する場合であっても、柔軟性ブラシピン１３が毛髪を絡ませて、容易に毛髪にカールやウェーブ、あるいはストレートに伸ばすことができる。
すなわち、毛先から毛髪を巻き込みながら、あるいは、毛髪の根本部または中間部から巻き込みながらスルーしてヘアースタイリングもできるし、単にスルーしてストレートにヘアースタイリングもできる。
【００３１】
カールやウェーブ、あるいはストレートの形付けが十分に行われた時点で、絡まりを緩める方向にグリップ２を回転あるいは傾けると、柔軟性ブラシピン１３と毛髪の絡まりが解除され、毛髪からブラシ部３が離れ、ブラシ部３を抜き取ることができる。
本実施例では、柔軟性ブラシピン１３に毛髪が脱落し難い狭窄部分を形成し、柔軟性ブラシピン１３同士の隙間を近接させているので毛髪を掴みやすく、抜けにくい構成となっている。
また、柔軟性ブラシピン１３は、毛髪へ程良い抵抗力を奏し、毛髪の毛表皮（キューティクル）を整え、髪ツヤを出す効果を生じる。
【実施例２】
【００３２】
次に、第２実施例に係るヘアーブラシを説明する。
第２実施例のヘアーブラシは、第１実施例におけるブラシ台座１１及び棒状ブラシピン１２並びに柔軟性ブラシピン１３に、多元素鉱物ミネラル粉状体または遠赤外線放射粉状体を含有させていることを特徴としている。
【００３３】
本実施例のヘアーブラシは、遠赤外線放射粉状体から放射される遠赤外線により、毛髪への熱伝導性が効果的に得られる。
多元素鉱物ミネラル粉状体から放射される微弱エネルギーにより毛髪をケアしながらスタイリングすることができ、遠赤外線放射粉状体から放射される遠赤外線により、頭皮の血行を増進させて発毛促進や効果的なスキャルプケアができる。
また、多元素鉱物ミネラル粉状体の作用によってブラッシングしても静電気が発生せず、ブローをスムーズに行なうことができると共にスタイリングも容易にできる。
【００３４】
しかも多元素鉱物ミネラル粉状体から発生するマイナスイオンによってブラッシングするだけで髪や頭皮の血行を良好にでき、また、マイナスイオンによって毛髪の水分にクラスター現象（水の分子集団を小さくする力）が生じ、毛髪のツヤ感と潤い感を高めサラサラでまとまりのあるデザインに仕上げることができる。
また、マイナスイオンが毛髪のキュ−ティクル（ガラス状の繊維）に作用し、常にツヤのよい状態に保つことができ、特に、ダメ−ジヘアや細くてまとまりづらい毛髪に効果的である。
【００３５】
本考案で使用する多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００３６】
多元素鉱物ミネラル粉状体は、多元素鉱物をボールミル等で粉砕してパウダーに形成したもので、この場合の粉砕数値は１〜３ミクロンが望ましいが数値は変わってもよい。
多元素鉱物ミネラル粉状体は単独或いは組み合わせて使用することができるが、２種類以上を適宜配合して使用することが好ましい。
この多元素鉱物ミネラル粉状体はそのまま使用してもよいし、これを水と混合し、加熱又は加圧した後、上澄み液を真空凍結乾燥や噴射乾燥により粉末にしたものを使用してもよい。
【００３７】
本考案でいう「含有」には、多元素鉱物粉状や遠赤外線放射粉状体をブラシ台座１１、棒状ブラシピン１２、柔軟性ブラシピン１３に練り込んで所定の形状に成型したものの他、多元素鉱物粉状や遠赤外線放射粉状体をコーティング剤に混合させて表面に塗布することでコーティング層（例えば、セラミックコーティング層、メッキ層、フッ素コーティング層、ナイロン層、合成樹脂層、シリコンラバー層、フッ素ラバー層等）を形成させたものが含まれる。
セラミックコーティング層の形成方法については、多元素鉱物粉状や遠赤外線放射粉状体をコーティング剤である耐熱性フォーマイカに加えて塗料状にしたものを管状体に塗布し、これを加熱炉に通してコーティング剤を飛ばして（焼き付けて）形成する方法等による。
耐熱性フォーマイカに対する多元素鉱物粉状または遠赤外線放射粉状体の混合割合は、容積比で３〜１５％が望ましいがこの数値に限定されるものではない。
【００３８】
そして、ブラシ台座１１及び棒状ブラシピン１２並びに柔軟性ブラシピン１３に多元素鉱物粉状体を混合させるには、例えば、多元素鉱物をボールミルやジェットミル等で約１〜３ミクロンに粉砕して粉状体に形成し、これを０．５〜１０％の比率でブラシ台座１１及び棒状ブラシピン１２並びに柔軟性ブラシピン１３の原料中（例えば、溶融金属、溶融樹脂）に混合し、成形するようにしている。
【００３９】
この場合、多元素鉱物粉状体は２種類以上を適宜に配合して使用することが好ましいが、１種類であってもよい。
又、多元素鉱物粉状体を水と混合し、加熱又は加圧したのち得た上澄み液を混合させてもよいし、真空凍結乾燥や噴霧乾燥により粉末にしたものを混合させてもよい。
【００４０】
多元素鉱物の例である真珠岩の成分を以下の表１に示す。
【００４１】
【表１】
0003230694.tif 000003
尚、この表１において、ｉｇ・ｌｏｓｓは、カオリンの化粧品基準、強熱減量（５００℃、恒温）に準じる。
【００４２】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等があり、これらを粉砕して粉状体にしたものを、単独或いは組み合わせて使用することができる。
【００４３】
以上、本考案の実施例を説明したが、本考案の具体的な構成はこの実施例に限定されるものではなく、考案の要旨を逸脱しない範囲における設定変更等があっても本考案に含まれる。
例えば、前記実施例において説明したブラシピンの形状、ブラシ台座への取付構造については他の構成を採用する場合であっても本考案に含まれる。
【符号の説明】
【００４４】
１  ヘアーブラシ
２  グリップ
３  ブラシ部
４  電源コード
５  基板
６  モータ
７  ファン
８  電源スイッチ
９  温度設定調整スイッチ
１０  温度表示部
１１  ブラシ台座
１２  棒状ブラシピン
１２ａ  孔
１３  柔軟性ブラシピン
１４  取付溝
１５  温風噴射孔
１５ａ  孔
１５ｃ  孔
１６  ヒータ
１６ａ  固定片
１７  取付レール
１８  取付片
１９  位置決め片
２０  隔熱プレート
２１  固定座
２２  キャップ
２３  ネジ
２４  座金
２５  マウント
２６  支持片
【図１】
0003230694.tif 000004
【図２】
0003230694.tif 000005
【図３】
0003230694.tif 000006
【図４】
0003230694.tif 000007
【図５】
0003230694.tif 000008
【図６】
0003230694.tif 000009
【図７】
0003230694.tif 000010
【図８】
0003230694.tif 000011